(57)【要約】【課題】画像編集機能を備えた画像処理装置において、ユーザにとって利便性のよい画像処理装置の画像編集方法を提供する。【解決手段】画像編集モード設定釦等を押下することによりタイトル編集モードに入る（ステップＳ０）。そして、タイトル編集期間を表示する（ステップＳ１）。そして、次に、消去が選択されたかどうかが判断される（ステップＳ２）。そして、ステップＳ２において消去が選択された場合すなわち消去開始点と消去終了点とが指定された場合に、消去期間を表示する（ステップＳ３）。そして、次のステップＳ４に進み消去が実行されたかどうかを判定する。ステップＳ４において消去が実行された場合には、タイトル編集期間を更新する（ステップＳ５）。【選択図】図３
2008160558.tif 000002
【特許請求の範囲】
【請求項１】
記録領域に格納されている画像情報を用いて画像編集機能により編集画像を記録する画像処理装置の画像編集方法であって、
記録領域に格納されている画像情報を画面上に表示するステップと、
前記画像編集機能により編集可能な、前記記録領域に格納されている前記画像情報の編集期間を表示するステップと、
前記画面上に表示された前記記録領域に格納されている画像情報のうち前記画像編集機能により任意のカットする期間を指定するステップと、
前記任意のカットする期間の指定により、前記編集期間から前記任意のカットする期間を引いた残りの編集期間を表示するステップと、
前記任意のカットする期間を前記残りの編集期間とともに表示するステップとを備え、
前記画面上に表示された前記記録領域に格納されている画像情報のうち前記画像編集機能により複数個の任意のカットする期間が指定され、
前記残りの編集期間とともに表示される前記任意のカットする期間は、複数個の任意のカットする期間の合計時間に相当する、画像処理装置の画像編集方法。
【請求項２】
記録領域に格納されている画像情報を用いて画像編集機能により編集画像を記録する画像処理装置の画像編集方法であって、
記録領域に格納されている画像情報を画面上に表示するステップと、
前記画像編集機能により編集可能な、前記記録領域に格納されている前記画像情報の編集期間を表示するステップと、
前記画面上に表示された前記記録領域に格納されている画像情報のうち前記画像編集機能により任意のカットする期間を指定するステップと、
前記任意のカットする期間の指定により、前記編集期間から前記任意のカットする期間を引いた残りの編集期間を表示するステップとを備える、画像処理装置の画像編集方法。
【請求項３】
前記任意のカットする期間を前記残りの編集期間とともに表示するステップをさらに備える、請求項２に記載の画像処理装置の画像編集方法。
【請求項４】
前記画面上に表示された前記記録領域に格納されている画像情報のうち前記画像編集機能により複数個の任意のカットする期間が指定され、
前記残りの編集期間とともに表示される前記任意のカットする期間は、複数個の任意のカットする期間の合計時間に相当する、請求項３に記載の画像処理装置の画像編集方法。
【発明の詳細な説明】
【技術分野】
【０００１】
本発明は、画像編集機能を備えた画像処理装置の画像編集方法に関する。
【背景技術】
【０００２】
ＤＶＤ−ＲやＤＶＤ−ＲＷといった録画可能な光ディスク媒体（以下、光ディスク）が普及してきており、これらの光ディスクに家庭で簡単に映画等を録画できる家庭用ＤＶＤレコーダも同様に普及してきている。
【０００３】
これらの光ディスクは容量が大きく、１〜２時間程度の映画、テレビ番組等を数タイトル録画することが可能である。
【０００４】
また、光ディスク媒体に記録するのではなく、ハードディスク（ＨＤＤ）に映像を録画することが可能な家庭用ＨＤＤレコーダも普及している。また、ＤＶＤ（Digital Versatile Disc）とＨＤＤのいずれにも記録可能なＨＤＤ／ＤＶＤレコーダ等種々のレコーダが存在している。
【０００５】
また、最近のレコーダには、単に映像を録画するに留まらず、ユーザの好みに応じて録画された映像を編集する画像編集機能も一般的に搭載されている。
【０００６】
例えば、特許文献１には、画像編集機能として装置側で映像に含まれるユーザが希望するダイジェストシーンを特定してダイジェスト映像を編集して自動作成する画像処理装置が開示されている。
【０００７】
上記文献には、特定のダイジェストシーンのみを編集する内容が開示されており、それ以外の映像内容を録画し編集したい場合には、ユーザが画像編集機能を用いて指示することにより録画された情報の一部をカット等する必要がある。この点で例えば特許文献２には、ビデオインデックスを作成してマウスポイントの位置に従ってタイムコードを算出することにより希望の画像を簡易に検索・編集することが可能な画像処理装置が開示されている。
【特許文献１】特開２００６−１４８３９７号公報
【特許文献２】特開平５−３０４６５号公報
【発明の開示】
【発明が解決しようとする課題】
【０００８】
しかしながら、画像編集機能の利用の仕方としては、単にユーザが好みの映像のみに編集する目的だけでなく、例えば、ＨＤＤに記録された情報をＤＶＤへ録画する際には、ＤＶＤの容量を考慮して画像編集作業を実行する場合も考えられる。
【０００９】
一方、ＨＤＤおよびＤＶＤの録画については、ともに映像を録画する際の画質に関する種々の記録モードの設定がある。例えばＨＤＤに映像が高画質で録画された場合であって、ＨＤＤからＤＶＤにダビング録画を実行する場合、ＤＶＤの記録容量に起因してＨＤＤに録画されたのと同容量の映像情報でダビング録画できない場合には、別の記録モードすなわち画質のレベルを下げた記録モードによりダビング録画される可能性がある。
【００１０】
ユーザが記録モードを高画質に維持したままダビング録画を実行する場合には、画像編集機能を利用してＤＶＤの記録容量に収まるように自己で編集作業を実行しなければならない。一般的に、ＤＶＤにおいては、記録モードに応じて録画可能な時間が予め指定されており、ユーザは、その時間内に映像情報が収まるように編集作業を実行することになる。
【００１１】
特許文献２においては、マウスポイントの位置に従ってタイムコードを算出することは示されており、例えば映像をカットする場合、その指定されたポイントの時間は表示されるが、編集作業が行なわれる映像情報全体の時間や、編集後の映像情報全体の時間等については何ら開示されていない。
【００１２】
本発明は、上記のような問題を解決するためになされたものであって、画像編集機能を備えた画像処理装置において、ユーザにとってさらに利便性のよい画像処理装置の画像編集方法を提供することを目的とする。
【課題を解決するための手段】
【００１３】
本発明に係る画像処理装置の画像編集方法は、記録領域に格納されている画像情報を用いて画像編集機能により編集画像を記録する画像処理装置の画像編集方法であって、記録領域に格納されている画像情報を画面上に表示するステップと、画像編集機能により編集可能な、記録領域に格納されている画像情報の編集期間を表示するステップと、画面上に表示された記録領域に格納されている画像情報のうち画像編集機能により任意のカットする期間を指定するステップと、任意のカットする期間の指定により、編集期間から任意のカットする期間を引いた残りの編集期間を表示するステップと、任意のカットする期間を残りの編集期間とともに表示するステップを備える。画面上に表示された記録領域に格納されている画像情報のうち画像編集機能により複数個の任意のカットする期間が指定される。残りの編集期間とともに表示される任意のカットする期間は、複数個の任意のカットする期間の合計時間に相当する。
【００１４】
本発明に係る別の画像処理装置の画像編集方法は、記録領域に格納されている画像情報を用いて画像編集機能により編集画像を記録する画像処理装置の画像編集方法であって、記録領域に格納されている画像情報を画面上に表示するステップと、画像編集機能により編集可能な、記録領域に格納されている画像情報の編集期間を表示するステップと、画面上に表示された記録領域に格納されている画像情報のうち画像編集機能により任意のカットする期間を指定するステップと、任意のカットする期間の指定により、編集期間から任意のカットする期間を引いた残りの編集期間を表示するステップとを備える。
【００１５】
好ましくは、任意のカットする期間を残りの編集期間とともに表示するステップをさらに備える。
【００１６】
特に、画面上に表示された記録領域に格納されている画像情報のうち画像編集機能により複数個の任意のカットする期間が指定される。残りの編集期間とともに表示される任意のカットする期間は、複数個の任意のカットする期間の合計時間に相当する。
【発明の効果】
【００１７】
本発明に係る画像処理装置の画像編集方法は、任意のカットする期間の指定により、編集期間から任意のカットする期間を引いた残りの編集期間を表示するステップとを備えることにより、編集作業によって編集後の時間を容易に把握することが可能であり、画像編集の利便性をさらに向上させることが可能である。
【発明を実施するための最良の形態】
【００１８】
以下、本発明の実施の形態について図面を参照しながら詳細に説明する。なお、図中同一または相当部分には同一符号を付し、その説明は繰返さない。
【００１９】
図１は、本発明の実施の形態に従う画像処理装置１の概略ブロック図である。
図１を参照して、画像処理装置１は、装着あるいは脱着可能なＣＤおよびＤＶＤ等（以下、代表的にＤＶＤとも称する）の同心円状又は渦巻状の情報記録トラックが形成された光ディスクに対して、映像情報の記録及び／又は再生を行なう光ディスク記録／再生部５と、内蔵されたハードディスク（ＨＤＤ）に対して映像情報の記録及び／又は再生を行なうＨＤＤ記録／再生部６とを備える。
【００２０】
また、光ディスク装置１は、映像・音声信号入出力部１０と、リモコン１１と、リモコン受信部１２と、表示部１３と、不揮発性メモリ１５と、上記各部を制御するための制御部２０とを備えている。
【００２１】
映像・音声信号入出力部１０には、不図示のディスプレイやスピーカ、テレビ受像機等の外部装置が接続され、例えばハードディスクあるいは光ディスクから再生した映像信号や音声信号の出力や、外部装置からの映像信号や音声信号の入力が行なわれる。
【００２２】
リモコン１１は、画像処理装置１の各種の動作を操作するためのものであり、各種の動作を操作するための操作キー（何れも不図示）を備えている。リモコン１１は、これらのキーの操作に応じて、対応する信号を赤外線信号で送出する。
【００２３】
リモコン受信部１２は、リモコン１１から送出される赤外線信号を受信し、その信号を制御部２０へ出力する。
【００２４】
表示部１３は、画像処理装置１本体のフロントパネルに設けられ、リモコン１１により操作された内容や画像処理装置１の動作状況等を表示する。具体的には、録画モード、再生モード、あるいは電源オン・オフ等を表示する。そして、録画モード、再生モード等の状態モードの表示は表示部１３において「ＲＥＣ」、「ＰＬＡＹ」等の記号で表示され、画像編集機能を用いた画像編集の操作は、例えばディスプレイ等の画面上に公知のＯＳＤ（Ｏｎ Ｓｃｒｅｅｎ Ｄｉｓｐｌａｙ）機能を用いて表示される後述する画像編集項目を、リモコン１１の十字キー等を操作し、画面上のカーソルを移動させて選択することによって行なわれる。
【００２５】
不揮発メモリ１５は、画像処理装置１の動作において必要な各種プログラムを格納しているとともに、制御部２０における計算処理等の格納場所としても用いられる。また、画像編集機能を実行するためのプログラム等についても格納されており、制御部２０から読み出しにより当該処理が実行されるものとする。
【００２６】
なお、光ディスクあるいはＨＤＤの情報の記録および／又は再生については、一般的な技術であるためその詳細な説明は省略する。なお、光ディスク記録／再生部においては、ＣＤおよびＤＶＤのコンパチブルの記録／再生が可能であるものとする。
【００２７】
以下、本発明の実施の形態に従う画像編集機能について説明する。
画像編集機能は、録画された情報の一部をカット等する機能であり、例えばユーザがリモコン１１等の図示しない画像編集モード設定釦等を押下することにより画像編集モードに移行し、画像編集機能を利用可能であるものとする。画像編集する対象としては、例えばＨＤＤ記録／再生部６のハードディスク（ＨＤＤ）に記録された録画情報を利用して編集作業を実行することも可能であるし、光ディスク記録／再生部５において装着された光ディスクに記録された録画情報を利用して編集作業を実行することも可能である。
【００２８】
なお、画像編集機能は、ここでは、画像編集モード設定釦を押下することにより実行される旨説明するが、特に当該方式に限られず、他の方式によっても画像編集機能を実行可能でありさえすれば良い。
【００２９】
図２は、本発明の実施の形態に従う画像編集モードの画面を示す図である。
図２を参照して、本例においては、映像・音声信号入出力部１０と接続されたディスプレイＤＳＰの画面上に画像編集モードの一例としてタイトル編集モードが選択された場合の編集画面が示されている。タイトル編集モードは、ユーザの指示に応答して例えばハードディスク等に録画した情報を再生しながらカット編集したい領域を指定すなわちマークを付けるモードであり、本例においては、一例として例えばハードディスクから光ディスクへのダビング録画する際にタイトル編集モードで編集された内容に従って光ディスク等に録画する場合について説明する。
【００３０】
ディスプレイＤＳＰの右上側の領域には操作用アイコン領域ＣＯＮが示されている。そして、左上側の領域には、映像情報を表示するための表示領域ＡＲＥが設けられ、下側領域には、編集作業を実行する映像情報全体の時間および編集時点の時刻を示すための時間軸を含む編集時間領域ＴＩＭが設けられている。
【００３１】
画像編集作業を実行するための画像編集項目である操作用アイコン領域ＣＯＮについて説明すると、操作用アイコン領域には、カーソルＭＣを用いて釦位置に合わせて釦を押下（実行）することにより表示領域ＡＲＥに録画した情報を再生するための再生釦１００、巻き戻し釦１０１、早送り釦１０２、停止釦１０３、一時停止釦１０４、録画実効釦１０８、消去開始指定釦１０５、消去終了指定釦１０６、消去実行指定釦１０７が設けられている。
【００３２】
なお、カーソルＭＣは、例えば上述したようにリモコン１１の十字キー等を操作することにより移動可能であるものとする。また、各種釦の押下は、図示しないがリモコン１１に設けられている実行キー等を押下することにより実行され、各種釦に対応した機能が選択されるものとする。
【００３３】
再生釦１００を押下することにより録画された情報が再生される。編集時間領域ＴＩＭの時間軸のタイムカーソルＴＣは、編集時点の時刻に連動して動作する。例えばユーザが再生釦１００を押下して最初から録画された情報を視聴している場合には、タイムカーソルＴＣは、ＳＴＡＲＴから再生時間に従って時間軸を移動する。本例においては、編集作業を実行する映像情報全体の時間として１５０分の領域が指定されていることが一例として示されている。具体的には、ＳＴＡＲＴ「００：００」、ＥＮＤ「１５０：００」として示されている。
【００３４】
なお、このタイムカーソルＴＣの位置は、カーソルＭＣを用いて時間軸を移動可能であり、移動されたタイムカーソルＴＣの位置に基づいてタイムコードが計算され、当該位置に対応する映像情報が表示されるものとする。
【００３５】
巻き戻し釦１０１、早送り釦１０２、停止釦１０３、一時停止釦１０４等は、一般的な「巻き戻し」、「早送り」、「停止」、「一時停止」等を実行するための釦であり、例えば巻き戻し釦１０１を押下することにより、巻き戻し再生が行なわれ、早送り釦１０２を押下することにより早送り再生が行なわれ、停止釦１０３を押下することにより巻き戻し再生、あるいは早送り再生等が停止することができるものとする。また、一時停止釦１０４を押下することにより再生を一時停止することができるものとする。なお、これらの機能は、編集作業を実行する上で映像情報を表示領域ＡＲＥに効率的に表示するための機能であり、特にこれらの機能に限定されるものではなく、他の機能を用いて映像情報を表示領域ＡＲＥに効率的に表示するようにすることも当然に可能である。
【００３６】
また、録画釦１０８を押下することにより、タイトル編集モードで編集された編集内容に基づいてダビング録画等を実行することができるものとする。
【００３７】
図３は、本発明の実施の形態に従うタイトル編集モードのフローを説明する図である。
図３を参照して、画像編集モード設定釦等を押下することによりタイトル編集モードに入る（ステップＳ０）。そして、タイトル編集期間を表示する（ステップＳ１）。なお、本例においては、一例として、予めＨＤＤ記録／再生部６のハードディスクに録画されている内容が編集作業の対象として選択されている場合について説明する。
【００３８】
具体的には、図２で説明したように編集時間領域ＴＩＭの領域に編集作業を実行する映像情報全体の時間軸が表示され、一例として図２の例で説明したようにＳＴＡＲＴ「００：００」、ＥＮＤ「１５０：００」が表示される。
【００３９】
そして、次に、消去が選択されたかどうかが判断される（ステップＳ２）。具体的には、操作用アイコン領域ＣＯＮにおいて、カーソルＭＣを用いてユーザの選択に従って消去開始指定釦１０５および消去終了指定釦１０６が押下されたかどうかを判断する。一方ステップＳ２において、消去が選択されない場合には、ステップＳ６に進むものとする。
【００４０】
図４は、タイトル編集モードにおいてカット編集（消去）を選択した場合を説明する図である。
【００４１】
図４に示されるように編集時間領域ＴＩＭの時刻「６０：００」で消去開始指定釦１０５が押下されることにより消去開始点が示され、編集時点である「７５：００」において消去終了指定釦１０６が押下されることにより消去終了点が示されている。上述したようにユーザは、表示領域ＡＲＥに表示される映像情報を見ながら、消去開始指定釦１０５および消去終了指定釦１０６を押下することにより編集時間領域ＴＩＭの時間軸において消去を促す領域が指定（選択）され、表示されることになる。なお、図４において、消去開始点にカーソルＭＣの位置を合わせて再び消去開始指定釦１０５を押下することにより消去開始点の指定を解除することも可能であるものとする。また、同様に消去終了点にカーソルＭＣの位置を合わせて再び消去終了指定釦１０６を押下することにより消去終了点の指定を解除することも可能であるものとする。
【００４２】
そして、再び、図３を参照して、ステップＳ２において消去が選択された場合すなわち消去開始点と消去終了点とが指定された場合に、消去期間を表示する（ステップＳ３）。具体的には、図４の右上欄に示されるように消去開始点と消去終了点との間のカット編集（消去）が選択された場合の合計時間（消去合計時間）とカット編集後の合計時間（編集後合計時間）も表示されている。本例においては、消去合計時間として「１５：００」が表示され、編集後合計時間として「１３５：００」が表示されている。
【００４３】
そして、次のステップＳ４に進み消去が実行されたかどうかを判定する。ステップＳ４において消去が実行された場合には、タイトル編集期間を更新する（ステップＳ５）。一方、ステップＳ４において消去が実行されない場合には、ステップＳ６に進むものとする。
【００４４】
図５は、タイトル編集モードにおいてカット編集（消去）を実行した場合を説明する図である。
【００４５】
図４の状態において、消去実行釦１０７を押下することにより図５に示されるように編集時間領域ＴＩＭの消去開始点である時刻「６０：００」から消去終了点である「７５：００」までの時間がカット編集（消去）され編集時間領域ＴＩＭの時間軸が更新される。具体的には、ＳＴＡＲＴ「００：００」、ＥＮＤ「１３５：００」が表示されている。
【００４６】
そして、次に消去が継続されるかどうかが判定され（ステップＳ６）、消去が継続される場合には、ステップＳ２に戻る。一方、消去が継続されない場合、すなわちカット編集が実行されない場合にはタイトル編集は終了される（ステップＳ７）。
【００４７】
なお、消去が継続されるかどうかの判定としては、例えば録画釦１０８が押下された場合には、現在のタイトル編集モードの内容に基づいて録画が実行されるため消去が継続されない場合と判定され、タイトル編集が終了するものとする。あるいは、画像編集モード設定釦等を押下することによりタイトル編集モードをキャンセルすることが可能であるものとする。したがって、タイトル編集モードにおいて、画像編集モード設定釦等の押下があった場合には、消去が継続されない場合としてタイトル編集が終了されるものとする。
【００４８】
また、消去が継続されると判定される場合は、例えば消去開始指定釦１０５が押下された場合に、ステップＳ２に戻るものとする。
【００４９】
したがって、本発明の実施の形態に従う画像編集の編集方式により、ユーザは、編集時間領域ＴＩＭから編集作業が行なわれる映像情報全体の時間を容易に把握することができる。さらに、カット編集（消去）を行なう際の消去合計時間および編集後の合計時間も編集画面において表示されるため編集作業によって編集後の時間を容易に把握することが可能である。また、映像を消去（カット）した場合においても、編集後の映像情報全体の時間等について編集時間領域ＴＩＭが更新されるため編集後の時間を容易に把握することが可能である。したがって、本発明の実施の形態に従う画像編集の編集方式により、画像編集の利便性をさらに向上させることが可能である。
【００５０】
図６は、タイトル編集モードにおいてカット編集（消去）を２回選択した場合を説明する図である。
【００５１】
図６に示されるように編集時間領域ＴＩＭの時刻「６０：００」で消去開始指定釦１０５が押下されることにより消去開始点が示され、編集時点である「７５：００」において消去終了指定釦１０６が押下されることにより消去終了点が示されている。また、編集時間領域ＴＩＭの時刻「９０：００」で消去開始指定釦１０５が押下されることにより消去開始点が示され、編集時点である「１０５：００」において消去終了指定釦１０６が押下されることにより消去終了点が示されている。上述したようにユーザは、表示領域ＡＲＥに表示される映像情報を見ながら、消去開始指定釦１０５および消去終了指定釦１０６を押下することにより編集時間領域ＴＩＭの時間軸において消去を促す領域が指定（選択）され、編集画面に表示されることになる。そして、この場合、図６の右上欄に示されるように消去開始点と消去終了点との間のカット編集（消去）が選択された場合の合計時間（消去合計時間）とカット編集後の合計時間（編集後合計時間）も表示されている。図６の場合においては、消去合計時間として「３０：００」が表示され、編集後合計時間として「１２０：００」が表示されている。
【００５２】
したがって、上述したように図６の状態において、消去実行釦１０７を押下することにより図示しないが編集時間領域ＴＩＭの時間軸が更新される。具体的には、ＳＴＡＲＴ「００：００」、ＥＮＤ「１２０：００」が表示されることになる。
【００５３】
この点で、例えばＨＤＤに映像が高画質で録画された場合であって、ＨＤＤからＤＶＤにダビング録画を実行する場合、ＤＶＤの高画質の記録容量として例えば「１２０分」が規定されている場合には、上記の編集作業を実行することにより記録モードを高画質に維持したままダビング録画が可能となる。したがって、編集作業を簡易に実行することができ、画像編集の利便性をさらに向上させることが可能である。
【００５４】
なお、本例においては、ハードディスク（ＨＤＤ）からＤＶＤへのダビング録画を実行する場合を例に挙げて説明したが、反対にＤＶＤからハードディスク（ＨＤＤ）へのダビング録画の場合についても、編集作業の対象がＤＶＤに録画されている内容に変更されるのみであり同様に適用可能である。
【００５５】
なお、ダビング録画の場合、画像編集対象となるＨＤＤあるいはＤＶＤに録画された情報（ソース源）そのものについては変更されないが、本発明は、特にダビング録画に限られず、本発明の実施の形態に従うタイトル編集モードにより例えばＨＤＤあるいはＤＶＤに録画された情報そのものすなわちソース源を本発明の実施の形態に従う画像編集により編集することも同様に可能である。なお、ＤＶＤの場合には、書換え可能な光ディスクであるものとする。
【００５６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５７】
【図１】本発明の実施の形態に従う画像処理装置１の概略ブロック図である。
【図２】本発明の実施の形態に従う画像編集モードの画面を示す図である。
【図３】本発明の実施の形態に従うタイトル編集モードのフローを説明する図である。
【図４】タイトル編集モードにおいてカット編集（消去）を選択した場合を説明する図である。
【図５】タイトル編集モードにおいてカット編集（消去）を実行した場合を説明する図である。
【図６】タイトル編集モードにおいてカット編集（消去）を２回選択した場合を説明する図である。
【符号の説明】
【００５８】
１  画像処理装置、５  光ディスク記録／再生部、６  ＨＤＤ記録／再生部、１０  映像・音声信号入出力部、１１  リモコン、１２  リモコン受信部、１３  表示部、１５  不揮発メモリ、２０  制御部。
【図１】
2008160558.tif 000003
【図２】
2008160558.tif 000004
【図３】
2008160558.tif 000005
【図４】
2008160558.tif 000006
【図５】
2008160558.tif 000007
【図６】
2008160558.tif 000008